(57)【要約】【課題】毎日の予定の記入と、関連したメモとを、同じ頁に記載できる手帳を提供する。【解決手段】予定記入欄の周囲にメモ欄を設けた構成とする。その一例としては、見開きで１週間の予定記入欄と、その上下、左右に設けたメモ欄とで構成する。予定記入欄は、縦欄で示した一日当たりの区画である一日予定欄の複数列を左から右に平行に並べて構成する。メモ欄の面積は、少なくとも予定記入欄の一日当たりの区画の面積よりも大きく構成する。【選択図】図２
0003171861.tif 000002
【実用新案登録請求の範囲】
【請求項１】
予定記入欄と、前記予定記入欄の周囲に設けたメモ欄とで構成したことを特徴とした、手帳。
【請求項２】
請求項１に記載の手帳において、
前記予定記入欄は、縦欄で示した一日当たりの区画である一日予定欄の複数列を左から右に平行に並べて、見開きで１週間分構成し、
一方、前記メモ欄の面積は、少なくとも予定記入欄の一日当たりの区画の面積よりも大きく構成したことを特徴とした、手帳。
【請求項３】
請求項２に記載の手帳において、前記予定記入欄の左右に設けたメモ欄の幅、高さが、一日の予定記入欄の幅、高さ以上に構成したことを特徴とした、手帳。
【請求項４】
請求項２又は３に記載の手帳において、前記予定記入欄の上下に設けたメモ欄の幅が、見開き頁の全長であるように構成したことを特徴とした、手帳。
【請求項５】
予定記入欄と、前記予定記入欄の周囲に設けたメモ欄とで構成し、
前記予定記入欄は、縦の１行を、１か月の同一曜日の予定、行事を記入する「同一曜日予定欄」から構成し、
この「同一曜日予定欄」を平行に１週間分の７本を配置し、１行の「同一曜日予定欄」は５段または６段に区切って１か月の予定記入欄を形成し、
予定記入欄の左右に配置したメモ欄は、
予定記入欄の左右に設けたメモ欄の鉛直方向の高さが、「同一曜日記入欄」の鉛直方向の高さに等しく、
左右に設けたメモ欄の水平方向の幅が、「同一曜日記入欄」の水平方向の幅以上であり、
一方予定記入欄の上下に設けたメモ欄の幅が、見開き頁の全長であるように構成した、手帳。
【請求項６】
予定記入欄と、前記予定記入欄の周囲に設けたメモ欄とで構成し、
前記予定記入欄は、水平方向の横欄で示した一日予定欄の複数欄を上から下に平行に並べて構成し、
この一日予定欄を、１週間のうち４日分を見開きの左頁に、１週間のうち３日分を見開きの右頁に平行に並べて配置し、
一方、予定記入欄の左右に設けたメモ欄の鉛直方向の高さは、
一日予定欄の４日分の高さに等しく、
メモ欄の水平方向の幅が、一日予定欄の鉛直方向の高さ以上であるように構成し、
予定記入欄の上下に設けた上下メモ欄の鉛直方向の高さは、一日予定欄の高さ以上に設定し、上下メモ欄の幅は、手帳の全幅と等しく構成した、手帳。
【考案の詳細な説明】
【技術分野】
【０００１】
本考案は、手帳に関するものである。
【背景技術】
【０００２】
従来から、毎日の予定を記入する予定記入欄が見開きの左右の頁に印刷してある手帳が知られている。
このような見開きタイプでは、スケジュールを俯瞰して１か月、１週間の全体を確認することができるという利点がある。
【先行技術文献】
【特許文献】
【０００３】
【特許文献１】実用新案登録第３１３７２０１号公報
【考案の概要】
【考案が解決しようとする課題】
【０００４】
しかし、前記したような従来の手帳にあっては、次のような問題点が存在した。
（１）毎日の予定記入欄の寸法、面積は均一に規定してある。しかし実際にその面積内へ記入する事項は、日によってその量に大きな差があり、そのような記入量の変化に対応することができない。
（２）思いついた事項によっては、直接記入するだけでなく、付箋にメモをしてそれを貼りつけたい場合があるが、従来の手帳では、付箋を貼りつけると肝心の予定事項が隠れてしまい、不便である場合が多い。
（３）予定記入欄以外に余白を設けてある手帳もあるが、その余白でもやはり位置や寸法、面積が均一に規定してあるため、自由な用途には使用しにくい。
（４）年間の予定記入欄の後方に多数の余白頁を備えた手帳が多いが、その場合にはスケジュールと後方頁のメモとを繰り返し往復する必要があり、利用しにくく不便であった。
（５）その他に、予定を記入する手帳とは別にメモ帳を持ち歩くことも可能であるが、その場合にも手帳とメモ帳とを開きながら作業を行う必要がありやはり不便なものであった。
（６）さらにちょっとしたメモをメモ帳に記入すると、必要なときにどこへ記入したのか、すぐに探すことができない、という不便もあった。
（７）このように、ちょっとしたメモは、当日のスケジュールの近くに、その量を気にせずに記入したいという要求が強いが、そのような要求に答える手帳は存在しなかった。
【課題を解決するための手段】
【０００５】
上記のような課題を解決する本考案の手帳は、予定記入欄と、前記予定記入欄の周囲に設けたメモ欄とで構成したことを特徴とするものである。
さらに、上記の手帳において、前記予定記入欄は、縦欄で示した一日当たりの区画である一日予定欄の複数列を左から右に平行に並べて、見開きで１週間分構成し、一方、前記メモ欄の面積は、少なくとも予定記入欄の一日当たりの区画の面積よりも大きく構成したことを特徴とするものである。
さらに、上記の手帳において、前記予定記入欄の左右に設けたメモ欄の幅、高さが、一日の予定記入欄の幅、高さ以上に構成したことを特徴とするものである。
さらに、上記の手帳において、前記予定記入欄の上下に設けたメモ欄の幅が、見開き頁の全長であるように構成したことを特徴とするものである。
さらに、本考案の手帳は、予定記入欄と、前記予定記入欄の周囲に設けたメモ欄とで構成し、前記予定記入欄は、縦の１行を、１か月の同一曜日の予定、行事を記入する「同一曜日予定欄」から構成し、この「同一曜日予定欄」を平行に１週間分の７本を配置し、１行の「同一曜日予定欄」は５段または６段に区切って１か月の予定記入欄を形成し、予定記入欄の左右に配置したメモ欄は、予定記入欄の左右に設けたメモ欄の鉛直方向の高さが、「同一曜日記入欄」の鉛直方向の高さに等しく、左右に設けたメモ欄の水平方向の幅が、「同一曜日記入欄」の水平方向の幅以上であり、一方予定記入欄の上下に設けたメモ欄の幅が、見開き頁の全長であるように構成したことを特徴とするものである。
さらに本考案の手帳は、予定記入欄と、前記予定記入欄の周囲に設けたメモ欄とで構成し、前記予定記入欄は、水平方向の横欄で示した一日予定欄の複数欄を上から下に平行に並べて構成し、この一日予定欄を、１週間のうち４日分を見開きの左頁に、１週間のうち３日分を見開きの右頁に平行に並べて配置し、一方、予定記入欄の左右に設けたメモ欄の鉛直方向の高さは、一日予定欄の４日分の高さに等しく、メモ欄の水平方向の幅が、一日予定欄の鉛直方向の高さ以上であるように構成し、予定記入欄の上下に設けた上下メモ欄の鉛直方向の高さは、一日予定欄の高さ以上に設定し、上下メモ欄の幅は、手帳の全幅と等しく構成したことを特徴とするものである。
【考案の効果】
【０００６】
本考案の手帳は、以上説明した構成により、次のような効果のうち少なくとも何れか一つを得ることができる。
（１）予定記入欄の周囲にメモ欄を積極的に設けることで、該当日の上下、あるいはその付近にメモを記入することができる。したがって後方のメモ頁をいちいち開いて比較するような煩雑な作業が不要であって、ただちに状況を把握したり、関連事項を理解することができる。
（２）予定記入欄は見開き１週間又は１か月で、毎日の予定が縦欄で複数列平行に配置してあるから、使用者は手帳を開いたときに、ただちにその週又は月全体を俯瞰することができ、便利である。
（３）周囲のメモ欄をせいぜい薄い罫線を印刷する程度にしておけば、記入場所などに拘束されることがなく、自由な発想でメモを記入することができる。
（４）予定記入欄とは別のメモのページや、別のメモ帳に記入した場合に、メモが埋もれてどこに記入したのかすぐには判断できない場合が生じるが、本考案の手帳の場合には予定記入欄の周囲の空白にメモが記入されているから、メモした事項をすぐに発見することができ、メモを探すような時間の無駄が生じない。
（５）予定記入欄の周囲に自由にメモを記入できるメモ欄が十分にあるので、それまでメモを取る習慣のなかった人でも、落書き感覚でメモを取る習慣が生まれる可能性がある。
（６）貼って剥がせる付箋は便利であるが、従来の手帳では付箋を貼りつけると肝心の予定が隠れてしまうという問題があった。しかし本考案の手帳であれば、予定記入欄の周囲の広いメモ欄に付箋を貼りつけても予定が隠れることがないので、手帳に直接記入するメモと、付箋との併用が可能である。
（７）予定記入欄の周囲にメモ欄を配置すれば、予定記入欄の面積は小さくなるという問題がある。しかし記入する事項は、日にちによって増減するから、予定欄を最小限に設定しておき、そこから溢れる記入事項は周囲のメモ欄に記入することで十分に手帳の価値を維持することができる。
【図面の簡単な説明】
【０００７】
【図１】本考案の手帳の基本概念図。
【図２】本考案の手帳の第一実施例の表面図。
【図３】図２に係る手帳を各部毎に分割した説明図。
【図４】他の実施例の説明図。
【図５】さらに他の実施例の説明図。
【考案を実施するための形態】
【０００８】
次に、図を参照しながら、本考案の手帳の一例について説明する。
【実施例】
【０００９】
＜１＞本考案の基本構成。
図１を参照しながら、本考案の基本構成について説明する。
本考案の手帳は、手帳用紙の略中央に設けた予定記入欄と、該予定記入欄の周囲に設けたメモ欄とで構成する。
予定記入欄及びメモ欄は、１ページ単位に設けても良いし、見開き式の２ページ単位で設けても良い。
【００１０】
＜２＞予定記入欄。
予定記入欄は、縦欄で示した一日当たりの区画の複数列を左から右に平行に並べて構成する。
一日当たりの区画とは、図で示す一日予定欄のことである。
この一日予定欄を、月曜日から日曜日まで７欄を設け、それを左から右に平行に並べて配置する。
各一日予定欄には、時刻目盛を印刷してある。
この一日予定欄の左端には、１列の縦欄を設ける。
その左端欄には、その週が該当する月や年、それに時刻目盛を印刷してある。
この時刻目盛は、その右側に配置した予定記入欄の、すべての一日予定欄に共通して使用できるように配置してある。
なお、予定記入欄は、日間、週間、月間、年間、或いはその他公知のレイアウトの何れか若しくはそれらの組合せでもって構成することができる。
予定記入欄は必ずしも中央に位置するものに限られず、適宜上下左右方向に偏移した箇所に配置することもできる。
予定記入欄の形状は、必ずしも矩形形状である必要はない。
【００１１】
＜３＞メモ欄。
前記の一日予定欄の周囲にはメモ欄を配置する。
メモ欄とはまったくなんらの印刷もしていない、という意味ではなく、一日予定欄のような時刻目盛その他の仕切りがない、という意味であり、例えば薄い罫線を印刷してメモの記入を容易にすることも可能である。
またメモのみではなく、付箋を貼りつける機能も果たすが、それらを含めて便宜上でメモ欄と称する。
説明の便宜上、メモ欄を左右のメモ欄、上下のメモ欄と定義して以下に詳述する。
【００１２】
＜３−１＞左右のメモ欄。
左右のメモ欄の面積は、少なくとも予定記入欄の一日当たりの区画、すなわち一日予定欄の面積と同等以上の大きさに設定する。
さらに具体的に述べれば、予定記入欄の左右に設けたメモ欄の鉛直方向の高さが、一日予定欄の鉛直方向の高さに等しく、メモ欄の水平方向の幅が、一日予定欄の水平方向の幅以上であるように構成するものである。
なお、図３では説明の便宜上、左メモ欄と上メモ欄だけが示してあるが、右側にも同様の右メモ欄があり、さらに下にも下メモ欄が配置してある。
【００１３】
＜３−２＞上下のメモ欄。
上下メモ欄の幅は、見開き頁の全長、すなわち２頁の一端から他端まである。
一方、上下のメモ欄の鉛直方向の高さは、左右メモ欄の幅とほぼ同一であるように構成する。
上記のように構成すると、予定記入欄の全方向の周囲には、一日予定欄の幅とほぼ同一の幅を備えた左右メモ欄、および一日予定欄の幅とほぼ同一の高さを備えた上下メモ欄を配置したことになる。
【００１４】
＜３−３＞メモ欄の変形例。
なお、前記した各メモ欄は、使用者のメモの便宜を図るべく、意図的に設けた空白部分を指すものであり、予め手帳用紙の周囲に設けてある余白部分とは、その概念を異にするものである。ただし、手帳用紙の外周に存する余白部をメモ欄に取り込んで一体化したものでも良い。
メモ欄の各寸法は特段限定されるものではなく、手帳のサイズや用途、利便性に応じて、適宜拡縮することができる。
メモ欄の形状は、必ずしも略ロ形状である必要もなく、中空部を有する多角形状その他の公知形状としてもよい。
メモ欄の配置態様は、前記予定記入欄の全周に渡って設けた構成としても良いし、一部間引いて間欠状に構成しても良い。
メモ欄のデザインは、無地、方眼、横罫線、或いはその他公知のデザインの何れか若しくはそれらの組合せでもって構成することができる。
【００１５】
＜４＞１か月タイプ。
図４に示すように、見開きで１か月の予定を記入するタイプの手帳においても、予定記入欄の周囲にメモ欄を配置することができる。
その場合の予定記入欄は、縦の１行を、１か月の同一曜日、例えば１か月の毎週月曜の予定、行事を記入する「同一曜日予定欄」から構成する。
この「同一曜日予定欄」を平行に１週間分（月曜始まり及び日曜始まりを含む）の７本を配置し、１行の「同一曜日予定欄」は５段または６段に区切って１か月の予定記入欄を形成する。
そして予定記入欄の左右には、メモ欄を配置する。
この左右のメモ欄の面積は、少なくとも「同一曜日記入欄」の１行当たりの区画の面積と同等以上の大きさに設定する。
さらに具体的に述べれば、予定記入欄の左右に設けたメモ欄の鉛直方向の高さが、「同一曜日記入欄」の鉛直方向の高さに等しく、メモ欄の水平方向の幅が、「同一曜日記入欄」の水平方向の幅以上であるように構成するものである。
一方予定記入欄の上下に設けたメモ欄の幅が、見開き頁の全長であるように構成する。
なお図４では説明の便宜上、左メモ欄と上メモ欄だけが示してあるが、右側にも同様の右メモ欄があり、さらに下にも下メモ欄が配置してある。
【００１６】
＜５＞１週間水平タイプ。
図５に示すように、見開き２頁に１週間の予定を記入するタイプである。
このタイプにおける予定記入欄は、水平方向の横欄で示した一日当たりの区画、すなわち一日予定欄の複数欄を上から下に平行に並べて構成する。
一日予定欄は、その欄の内部を水平の時刻目盛線で薄く区画して予定記入の便に供する。
この一日予定欄を、１週間のうち４日分（例：月曜日から木曜日／日曜日から水曜日）までを見開きの左頁に、１週間のうち４日分（例：金曜日から日曜日／木曜日から土曜日）までを見開きの右頁に平行に並べて配置する。
この一日予定欄の右下端は、余分になるので、前月、今月、来月などの１か月のカレンダーを印刷することもできる。
一方、予定記入欄の周囲にはメモ欄を配置する。
そのメモ欄の内で、左右のメモ欄の面積は、少なくとも予定記入欄の一日当たりの区画、すなわち一日予定欄の面積と同等以上の大きさに設定する。
さらに具体的に述べれば、予定記入欄の左右に設けたメモ欄の鉛直方向の高さは、一日予定欄の４日分の高さに等しく、メモ欄の水平方向の幅が、一日予定欄の鉛直方向の高さ以上であるように構成するものである。
予定記入欄の上に設けた上メモ欄の鉛直方向の高さは、一日予定欄の高さ以上に設定し、上メモ欄の幅は、手帳の見開き２頁の全幅と等しく構成する。
【００１７】
＜６＞使用例。
上記の手帳を使用する場合に、基本的には該当する一日予定欄、あるいは同一曜日予定欄の該当日に、その日の予定を記入する。
この記入は、従来の手帳と同様である。
しかし本考案の手帳では、さらに周囲に配置したメモ欄を有効に活用することができる。
例えば一日予定欄の範囲、同一曜日予定欄の該当日の範囲では記入できない量の情報が発生した場合に、メモ欄でその日の予定欄に近い余白に、追加の情報や思い付きをメモとして自由に記入することができる。
そのような追加の情報や思い付きのメモが一日予定欄の近くに記入してあるから、従来の手帳のようにどこへメモをしたのか、メモが埋まってしまうことがない。
あるいは付箋にメモを記入して貼りつけたい場合に、メモ欄に貼りつければ、付箋によって一日予定欄が隠れてしまうことがないから、色彩の異なった付箋をテーマごとに貼りつける、といった活用を行うことができる。
【図１】
0003171861.tif 000003
【図２】
0003171861.tif 000004
【図３】
0003171861.tif 000005
【図４】
0003171861.tif 000006
【図５】
0003171861.tif 000007